(57)【特許請求の範囲】
【請求項１】
ＦＭ変調信号が受信されるＦＭラジオ受信機において、
ＩＦ信号の周波数をカウントするＩＦカウンターと、
該ＩＦカウンターのカウント値に応じて隣接妨害の発生を検出する検出回路と
を備えることを特徴とするＦＭラジオ受信機。
【請求項２】
前記検出回路は、前記ＩＦカウンターのカウント値がＩＦ信号の中心周波数を含む所定範囲の外にあるときに隣接妨害が発生したことを検出することを特徴とする請求項１記載のＦＭラジオ受信機。
【請求項３】
前記検出回路は、前記ＩＦカウンターのカウント値が所定値になったとき隣接妨害が発生していないことを特徴とする請求項１のＦＭラジオ受信機。
【請求項４】
前記ＦＭラジオ受信機はサーチ用ＩＦカウンターを有し、前記カウンターがサーチ用ＩＦカウンターと共用されることを特徴とする請求項１記載のＦＭラジオ受信機。
【発明の詳細な説明】
【０００１】
【発明の属する技術分野】
本発明は、隣接妨害対策を施したラジオ受信機に関する。
【０００２】
【従来の技術】
一般に、ＦＭラジオ受信機において、希望局に隣接して強電界の妨害局が存在する場合妨害局の電波がＦＭラジオ受信系統に飛び込み希望局が妨害局によって妨害を受ける隣接妨害が発生することがある。これを防止する対策として、ＩＦフィルタとして広帯域及び狭帯域の２つのフィルタを用意し、隣接妨害が発生するとＦＭＩＦ信号の帯域をより狭く帯域制限して妨害局を除去するようにしていた。このような隣接妨害対策を施したＦＭラジオ受信機が図４のように構成される。
【０００３】
図４において、ＦＭのＲＦ信号はＦＭ−ＲＦ同調増幅回路１で同調及び増幅された後、混合回路２で局部発振回路３の局部発振信号により中心周波数１０．７ＭＨｚのＩＦ信号に周波数変換される。ＩＦ信号は、ＩＦフィルタ４Ｉで帯域制限された後、選択回路５を介して、広帯域フィルタ４Ｗ及び狭帯域フィルタ４Ｎに印加され、それぞれの通過帯域幅によりＩＦ信号が帯域制限される。広帯域フィルタ４Ｗまたは狭帯域フィルタ４Ｎの出力信号は選択回路６で選択され、その一方の出力信号がリミッタアンプ７で増幅された後、ＦＭ検波回路８でＦＭ検波される。通常受信時、広帯域フィルタ４Ｗの出力信号（以下、ワイドＩＦ信号と称する）が選択され、このワイドＩＦ信号がＦＭ検波される。
【０００４】
ＦＭ受信時、希望局Ｆｄに隣接して妨害局Ｆｕｄが発生したとする。この妨害局Ｆｕｄは図３イのように広帯域フィルタ４Ｗの通過帯域内で、かつ、狭帯域フィルタ４Ｎの通過帯域外にある。但し、広帯域及び狭帯域フィルタ４Ｗ及び４Ｎの通過帯域は図３アの関係にある。隣接妨害検出回路９において、信号ラインａの如く接続して広帯域及び狭帯域フィルタ４及び５の出力レベルのレベル関係を見たり、また、信号ラインｂの如く接続してＦＭ検波回路８の検波出力の平滑レベルを見ることにより、隣接妨害を検出する。すると、検出信号ＤＥＴが発生し、これに基づいて制御回路１０が隣接妨害が発生したと判断して、選択信号ＳＬにより狭帯域フィルタ４Ｎの出力信号（以下、ナローＩＦ信号と称する）が選択される。狭帯域フィルタ４Ｎでは妨害局Ｆｕｄはその通過帯域外になるので、妨害局Ｆｕｄは狭帯域フィルタ４Ｎで除去され、隣接妨害を除去することができ、受信状態が改善される。
【０００５】
【発明が解決しようとする課題】
上記のように、従来の隣接妨害は、広帯域及び狭帯域フィルタ４及び５の出力レベルの関係や、ＦＭ検波回路８の平滑された出力レベルを見ることにより検出されていた。しかしながら、従来のようにワイドＩＦ信号及びナローＩＦ信号のレベル関係を見る検出では、広帯域及び狭帯域フィルタ４Ｗ及び４Ｎの出力信号をそれぞれ平滑して、両方の平滑レベルを比較するので、回路が複雑になるという問題があった。特に、ＩＣ化に際しては平滑用の外付けコンデンサー及びこれらが接続される外付けピンが必要になるので、ＩＣ化に不向きな回路であった。また、ＦＭ検波回路８の出力信号を見る検出では妨害局Ｆｕｄによって検波出力の平滑レベルがＩＦ信号の中心周波数に対応するレベルからずれることにより隣接妨害が検出される。しかし、妨害局Ｆｕｄレベルが希望局Ｆｄのレベルを高くなって妨害しないと前記平滑レベルがずれないため、妨害の影響が小さい場合には前記平滑レベルが明らかに変化せず、隣接妨害を検出することが困難であった。そこで、本発明は、回路構成を簡単とし、妨害の影響が小さい場合でも確実に隣接妨害を検出できるＦＭラジオ受信機を提供する。
【０００６】
【課題を解決するための手段】
本発明は、ＦＭ変調信号が受信されるＦＭラジオ受信機において、ＩＦ信号の周波数をカウントするＩＦカウンターと、該ＩＦカウンターのカウント値に応じて隣接妨害の発生を検出する検出回路とを備えることを特徴とする。
特に、前記検出回路は、前記ＩＦカウンターのカウント値がＩＦ信号の中心周波数を含む所定範囲の外にあるときに隣接妨害が発生したことを検出することを特徴とする。
【０００７】
また、前記検出回路は、前記ＩＦカウンターのカウント値が所定値になったとき隣接妨害が発生したことを特徴とする。
さらに、前記ＦＭラジオ受信機はサーチ用ＩＦカウンターを有し、前記カウンターがサーチ用ＩＦカウンターと共用されることを特徴とする。
本発明によれば、妨害局が希望局とともにＦＭラジオ受信機に受信される場合ＩＦカウンターのカウント値がＩＦ信号の中心周波数よりずれるので、そのずれが発生したとき隣接妨害が発生したと検出する。
【０００８】
【発明の実施の形態】
図１は本発明の実施の形態を示す図であり、１１は混合回路２からのＦＭのＩＦ信号が導出される１次コイル、１２及び１３は１次コイル１１に対応する第１及び第２−２次コイル、１４は広帯域フィルタ４Ｗまたは狭帯域フィルタ４ＮとＩＦフィルタを成すフィルタ、１５はフィルタ１４の出力信号の周波数をカウントするＩＦカウンター、１６はフィルタ１４の出力信号に応じて受信電界強度を検出する電界強度検出回路、１７はＩＦカウンター１５のカウント値及び受信電界強度に応じて、選択回路６及び局部発振回路３を制御する制御回路である。尚、図１において、図２と同一の回路については、図１と同一の符号を付す。
【０００９】
まず、図１において、混合回路２からのＩＦ信号は共通の出力回路となる１次コイル１１に導出される。そして、２次コイル１２及び１３にはそれぞれ同一なＩＦ信号が導出され、それぞれのＩＦ信号は広帯域及び狭帯域フィルタ４Ｗ及び４Ｎに印加される。尚、広帯域及び狭帯域フィルタ４Ｗ及び４Ｎはそれぞれ図３アのようなフィルタ特性を有している。その後、ワイド及びナローＩＦ信号の一方が選択され、フィルタ１４に印加される。フィルタ１４に広帯域または狭帯域フィルタ４Ｗまたは４Ｎで周波数選択された信号が印加されることによって必要なＩＦフィルタ特性が得られる。フィルタ１４の出力信号は、リミッタアンプ７で増幅された後、ＦＭ検波回路８でＦＭ検波される。
【００１０】
次に、図２のフローチャートを参照して、図１のＦＭラジオ受信機の動作を説明する。ＦＭラジオ受信機は通常受信状態にあり、広帯域フィルタ４ＷのワイドＩＦ信号が選択され、ワイドＩＦ信号がＦＭ検波される（Ｓ１）。通常受信中、制御回路１７によって隣接妨害が発生しているか否かの検出動作が開始される。ＩＦカウンタ１５はフィルタ１４からのワイドＩＦ信号の周波数をカウントする。ＩＦカウンタ１５のカウント値は随時制御回路１７に出力される。隣接妨害検出動作が開始されると制御回路１７は前記カウント値を取り込み、このカウント値に応じて隣接妨害を受けているか否かを検出する（Ｓ２）。そして、制御回路１７はカウント値が所定の周波数範囲外にあるか否か検出される（Ｓ３）。図３イのように、希望局Ｆｄから例えば０．１ＭＨｚ離れて妨害局Ｆｕｄが存在し、妨害局Ｆｕｄの電界強度が希望局Ｆｄより強い場合、希望局のＩＦ信号に妨害局のＩＦ信号が重畳され、妨害局のＩＦ信号レベルが希望局のＩＦ信号レベルより高く、その結果ＩＦ信号の中心周波数は妨害局側に引っ張られる。その為、ワイドＩＦ信号の中心周波数は希望局Ｆｄの中心周波数１０．７ＭＨｚよりずれた周波数になり、その結果ＦＭ検波時希望局Ｆｄが妨害局Ｆｕｄにより妨害を受け、受信状態が悪化する。ＩＦカウンター１５はワイドＩＦ信号の周波数を正確にカウントする。そこで、このように隣接妨害が発生するとカウント値が１０．７ＭＨｚ（希望局）に対応する値よりずれるので、制御回路１７はカウント値を見て隣接妨害が発生したかどうか判断する。制御回路１７は図３イのようにＩＦカウント値に対する検出範囲Δｆを定めており、カウント値が検出範囲Δｆ外にあると妨害局があると判断され、カウント値が検出範囲Δｆ内にあると妨害局がなく希望局のみ存在していると判断される。尚、ＦＭ変調信号は常に周波数が偏移しているので、ＩＦカウンターの検出タイミングによってはＩＦ信号の周波数が１０．７ＭＨｚよりずれる場合があり、周波数偏移による隣接妨害の誤検出を防ぐために図３イのような検出範囲Δｆが定められる。この検出範囲Δｆ内ではワイドＩＦ信号の周波数ずれは周波数偏移によるものと見なされる。
【００１１】
ＩＦカウンター１５のカウント値が所定の検出範囲Δｆ内にあると検出された場合、制御回路１７は隣接妨害が発生していないと判断して、第１状態の切換信号ＳＬを発生する。切換信号ＳＬによってワイドＩＦ信号が選択される。つまり、ＦＭラジオ受信機の通常受信状態が継続される（Ｓ４）。その後制御回路１７は待機状態になり（Ｓ５）、所定時間（例えば約１０秒）経過するとステップＳ１に戻り隣接妨害を再び検出し始める。
【００１２】
また、ステップＳ３で隣接妨害を検出することができるが、実際には隣接妨害以外の原因によりＩＦ周波数がずれる可能性もある。そこで、ＩＦカウンター１５のカウント値が所定の検出範囲Δｆ外にあると検出された場合、制御回路１７は妨害が本当に隣接妨害によるものかを検出する次のステップに移行する。ところで、リミッタアンプ７の出力信号は電界強度検出回路１６に印加され、前記出力信号を平滑して受信電界強度が検出される。電界強度検出回路１６の出力信号は制御回路１７に取り込まれ、受信電界強度が測定される（Ｓ６）。次に、ワイドＩＦ信号の選択状態で制御回路１７は検出された受信電界強度が所定レベル以上か否か判断する（Ｓ７）。受信電界強度が所定レベル以上の場合、電界強度の強い妨害局が希望局を妨害してＩＦ周波数をずらしていたり、または、希望局の電界強度が強くてもそれより強い妨害局がＩＦ周波数をずらしていると認められ、隣接妨害が発生していると判断される。また、所定レベル以下の場合希望局自体が小さいために他の妨害を受けている可能性があると判断される。
【００１３】
受信電界強度が所定レベル以上の場合、制御回路１７は隣接妨害が実際に発生していると判断し、第２状態の切換信号ＳＬを発生する。切換信号ＳＬに応じて、狭帯域フィルタ４ＮのナローＩＦ信号が選択され、ナローＩＦ信号がＦＭ検波される。この妨害局Ｆｕｄは図３イのように広帯域フィルタ４Ｗの通過帯域内で、かつ、狭帯域フィルタ４Ｎの通過帯域外にあると、狭帯域フィルタ４Ｎでは妨害局Ｆｕｄはその通過帯域外になるので、妨害局Ｆｕｄは狭帯域フィルタ４Ｎで除去される。よって、隣接妨害を除去することができ、ＦＭラジオ受信機の受信状態が改善される（Ｓ８）。その後制御回路１７は待機状態になり（Ｓ９）、所定時間（例えば約１０秒）経過すると、切換信号ＳＬが第１状態になってワイドＩＦ信号が選択されることによりＦＭラジオ受信機が通常受信状態に切り換わった後（Ｓ１０）、ステップＳ１に戻り隣接妨害を再び検出し始める。
【００１４】
また、ステップＳ７で、制御回路１７は、希望局自体の電界強度が小さく他の妨害を受けている可能性があると判断されると、希望局の妨害となるノイズ等を詳しく検出する。希望局自体の電界強度が小さければ、ノイズ等によっても妨害を受ける。まず、制御回路１７は局部発振制御信号ＬＯをシフトさせ、局部発振回路３の局部発振周波数をシフトさせ、ＩＦ信号の中心周波数が１０．７ＭＨｚとなるＲＦ信号の周波数がシフトされる。制御回路１７は、ＦＭ受信バンドの１チャンネルステップ単位でシフトさせており、具体的には図３ウのように希望局のＲＦ周波数Ｆｄを、低周波方向のＲＦ周波数ＦｄＬにシフトさせ、次に高周波方向のＲＦ周波数ＦｄＨをシフトさせ、最後にＲＦ周波数を希望局に戻す。シフトの際、制御回路１７はＲＦ周波数ＦｄＨの電界強度を検出し、その値を制御回路１７の内部メモリ（図示せず）に記憶し、また、ＲＦ周波数ＦｄＬの電界強度を検出し内部メモリに記憶する（Ｓ１１）。ＲＦ周波数をシフトして電界強度を検出することにより、希望局の近傍に発生する他の妨害信号の大きさ及び量を検出している。その後、ＲＦ周波数ＦｄＬ及びＦｄＨの受信電界強度の両方が所定レベルＶ２より小さいか否か検出される（Ｓ１２）。ＲＦ周波数ＦｄＬ及びＦｄＨの受信電界強度の両方が所定レベルＶ２より小さい場合、希望局自体の電界強度が弱く、電界強度の不足により受信状態が悪化したと判断される。また、ＲＦ周波数ＦｄＬ及びＦｄＨの受信電界強度の少なくとも一方が所定レベルＶ２より大きい場合、希望局自体の電界強度が弱く、希望局近傍の他の妨害信号により妨害を受けたと判断される。
【００１５】
ステップ１２において、ＲＦ周波数ＦｄＬ及びＦｄＨの受信電界強度の両方が所定レベルＶ２より小さい場合、制御回路１７は妨害を受けていないと判断し、ステップＳ４に移行しワイドＩＦ信号による弱電界状態での通常受信が所定時間継続され、再び隣接妨害が検出される。また、ＲＦ周波数ＦｄＬ及びＦｄＨの受信電界強度の少なくとも一方が所定レベルＶ２より大きい場合、Ｓ８に移行しナローＩＦ信号を選択することにより希望局近傍のノイズを除去することができ、ＦＭラジオ受信機の受信状態が改善される。所定時間経過後、ＦＭラジオ受信機は待機状態の後通常受信状態に切り換わり隣接妨害を再び検出し始める。
【００１６】
尚、広帯域及び狭帯域フィルタ４Ｗ及び４Ｎの通過帯域、ＩＦ周波数の検出範囲Δｆを図３イのように設定すれば、確実に隣接妨害を除去することができる。また、ステップＳ２で１回だけＩＦ周波数をカウントしているが、複数回カウントしてカウント値が同じ値に一致したらステップＳ３に移行するようにしても良い。これにより、一時的な妨害か常に隣接妨害を受けているか検出することが可能になる。さらに、ステップＳ６で電界強度を複数回測定するようにしても良く、特にカーチューナーでは移動により受信電界強度が変化するため検出された電界強度の平均値を用いることで隣接妨害を確実に検出が可能になる。
【００１７】
一般に、ＦＭラジオ受信機には、サーチ時の局検出はＩＦ信号の周波数検出によっても行われており、ＩＦカウンタが備えられている。このサーチ用ＩＦカウンタを使用すれば、隣接妨害用のＩＦカウンターと共用することができ、新たにＩＦカウンターを備える必要がない。
また、隣接妨害局の電界強度の強さに応じて希望局のＩＦ信号に重畳される妨害局のＩＦ信号の大きさが変わってくる。その為、妨害局の強さに応じて、ＩＦ信号の周波数のずれる量が変化しＩＦカウンター１５のカウント値が変化する。よって、検出範囲Δｆを任意に変えることにより隣接妨害の検出感度を任意に設定することができる。
【００１８】
【発明の効果】
本発明によれば、ＩＦカウンターのカウント値に応じて隣接妨害を検出するので回路の増加を招くことなく、外付け素子は必要とせず、ＩＣ化に好適なラジオ受信機を提供することができる。また、妨害を受けた度合いでＩＦカウンターのカウント値が変化するので、検出感度を任意で変化させることができる。
【図面の簡単な説明】
【図１】本発明の実施の形態を示すブロック図である。
【図２】図１の動作を説明するためのフローチャートである。
【図３】図１及び図２の動作を説明するための周波数特性図である。
【図４】従来例を示すブロック図である。
【符号の説明】
１          ＲＦ増幅回路
２          混合回路
３          局部発振回路
４Ｗ        広帯域フィルタ
４Ｎ        狭帯域フィルタ
４Ｉ        ＩＦフィルタ
５、６      選択回路
７          リミッタアンプ
８          ＦＭ検波回路
９          妨害検出回路
１４        フィルタ
１５        ＩＦカウンター
１６        電界強度検出回路
１０、１７  制御回路
【図１】
0003579241.tif 000002
【図３】
0003579241.tif 000003
【図４】
0003579241.tif 000004
【図２】
0003579241.tif 000005